(57)【要約】【課題】本発明は、光ファイバや導波路などといった信号光伝播媒体同士を接続する際に用いる光コネクタに関し、より一層小型化された光コネクタを提供することを目的とする。【解決手段】光コネクタ１０の、挿入孔形成壁１２１からなる挿抜部１２ａと貫通孔形成壁１２２からなる光学的接続部１２ｂとが形成された筐体１２の挿抜部１２ａ内に突出収納自在に配設された付勢部材１３によって、その挿抜部１２ａに挿入された状態にある第２光信号端３１を突当面１２１ｂおよび支持面１２１ａの双方の面に付勢して位置決めする。【選択図】        図１
2007212564.tif 000002
【特許請求の範囲】
【請求項１】
信号光の入射および信号光の出射のうちの少なくとも一方を担う第１光信号端を有し該信号光の伝播を担う第１信号光伝播媒体を備えた基板と、
信号光の入射および信号光の出射のうちの少なくとも一方を担う第２光信号端を有し該信号光の伝播を担う第２信号光伝播媒体の、該第２光信号端が挿抜自在に挿入される挿入孔を形成する、挿入された状態にある第２光信号端の側面部分を支持する支持面、および挿入された状態にある第２光信号端の先端部分が突き当てられる突当面を含む挿入孔形成壁からなる挿抜部と、該挿抜部内の突当面近傍から前記第１光信号端に向けて貫通し、該挿抜部に挿入された状態にある第２光信号端と前記第１光信号端とを光学的に接続する貫通孔を形成する貫通孔形成壁からなる光学的接続部とが形成され、前記基板上に配設された筐体と、
前記筐体の挿抜部に挿入された状態にある第２光信号端を前記突当面および前記支持面の双方の面に付勢して位置決めする、該挿抜部内に突出収納自在に配設された付勢部材とを備えたことを特徴とする光コネクタ。
【請求項２】
前記挿抜部が、さらに先端部分に、前記第１信号光伝播媒体および前記第２信号光伝播媒体のうちの一方の信号光伝播媒体を伝播してきた信号光を他方の信号光伝播媒体に向けて反射する光路変換部を備えた第２光信号端を有する第２信号光伝播媒体の、該第２光信号端が挿抜自在に挿入されるものであることを特徴とする請求項１記載の光コネクタ。
【請求項３】
前記突当面が、さらに、該突当面の、前記挿抜部に挿入された状態にある第２光信号端の光路変換部のうちの信号光を伝播する部分に対向する部分に、該第２光信号端の先端部分が該突当面に突き当てられた状態において空隙を形成する凹部が設けられたものであることを特徴とする請求項２記載の光コネクタ。
【請求項４】
前記筐体が、さらに、前記光学的接続部内に、前記挿抜部に挿入された状態にある第２光信号端と前記第１光信号端との間で伝達される光信号の信号路を形成する、集光レンズを有する光結合部材を配備したものであることを特徴とする請求項１記載の光コネクタ。
【請求項５】
前記筐体が、さらに、前記光学的接続部内に、前記第１信号光伝播媒体および前記第２信号光伝播媒体のうちの一方の信号光伝播媒体を伝播してきた信号光を他方の信号光伝播媒体に向けて反射する光路変換部材を配備したものであることを特徴とする請求項１記載の光コネクタ。
【請求項６】
前記筐体が、さらに、前記基板に着脱自在なものであることを特徴とする請求項４または５記載の光コネクタ。
【請求項７】
前記基板が、前記第１光信号端に加え、さらに導電パターンを有するものであり、
前記挿抜部は、信号光の入射および信号光の出射のうちの少なくとも一方を担うとともに、さらに電気信号の接続端子が設けられた第２光信号端を有し、該信号光の伝播および該電気信号の伝達を担う第２信号光伝播媒体の、該第２光信号端が挿抜自在に挿入される挿入孔を形成する挿入孔形成壁からなるものであり、さらに、挿入された状態にある第２光信号端に設けられた前記接続端子と接触する、前記導電パターンと電気的に接続された電気接点を有するものであることを特徴とする請求項１記載の光コネクタ。
【発明の詳細な説明】
【技術分野】
【０００１】
本発明は、光ファイバや導波路などといった信号光伝播媒体同士を接続する際に用いる光コネクタに関する。
【背景技術】
【０００２】
光ファイバや導波路などといった信号光伝播媒体同士を接続する際には、通常、光コネクタが用いられる。
【０００３】
従来より、このような光コネクタとして、例えば、接続される光ファイバや光導波路の接合端部に設けられた位置合わせのために突起を有する光コネクタや、接合端部に設けられたその突起に嵌合する凹部を有する光コネクタが知られている。このように構成された光コネクタのうちの突起を有する光コネクタの突起を、凹部を有する光コネクタの凹部に差し込んで嵌合することによって位置合わせされ、双方の光コネクタを介して光ファイバや光導波路が確実に接続される。
【０００４】
また、このような光コネクタとして、接続される光ファイバや光導波路の接合端部に設けられた互いに嵌合する外形を有する光コネクタも知られており、光コネクタの外形を勘合することによって位置合わせされ、双方の光コネクタを介して光ファイバや光導波路が確実に接続される。
【０００５】
さらに、このような光コネクタとして、例えば、フレキシブル光導波路の接合端部に設けられた、連結用のピンガイド穴を有する接続基板が提案されている（例えば、特許文献１参照。）。この例では、接続基板に設けられた溝部に弾性体からなる光導波路チップの突起部を挟み込んで光導波路コアを位置合わせして固定している。この光コネクタにおいて、フレキシブル光導波路の光導波路コアとピンガイド穴の位置関係を、既存部品の光コネクタ（例えばＭＴコネクタ）の光ファイバコアとガイドピンの位置関係と同一になる構成とすることによって、光コネクタのガイドピンをフレキシブル光導波路のピンガイド穴に差し込んで嵌合すると、フレキシブル光導波路と光コネクタとが無調心で高精度に接続される。また、このフレキシブル光導波路は、分岐・合波機能を持つ光導波路コア位置とガイドピンの位置関係がフレキシブル光導波路の光導波路コアとピンガイド穴の位置関係と同じ位置関係にある光導波路モジュールや、ＬＤやＰＤといった光素子チップの光の出射点や受光点とガイドピンの位置関係がフレキシブル光導波路の光導波路コアとピンガイド穴の位置関係と同じ位置関係にある光部品とも、無調心で高精度に接続することができる。
【特許文献１】特開平１０−１８６１８７号公報
【発明の開示】
【発明が解決しようとする課題】
【０００６】
上述したように、光ファイバや導波路などといった信号光伝播媒体同士を接続する際に、突起や凹部を有する光コネクタや、互いに嵌合する外形を有する光コネクタや、特許文献１に提案された光コネクタなどといった従来型の各種光コネクタを用いることによって、信号光伝播媒体同士を確実にかつ高精度に接続することができる。
【０００７】
近年、電子機器の小型化に伴って、光コネクタの小型化が進んでいる。ところが、光コネクタによる光接続にあたっては、接続される信号光伝播媒体それぞれの信号光を伝播する部分の端部同士を高精度に位置合わせするために、信号光伝播媒体の接合端部ごとに設けられる各光コネクタを高精度に製造する必要があることから、従来型の各種光コネクタを小型化するには限界がある。
【０００８】
本発明は、上記事情に鑑み、より一層小型化された光コネクタを提供することを目的とするものである。
【課題を解決するための手段】
【０００９】
上記目的を達成する本発明の光コネクタは、
信号光の入射および信号光の出射のうちの少なくとも一方を担う第１光信号端を有しその信号光の伝播を担う第１信号光伝播媒体を備えた基板と、
信号光の入射および信号光の出射のうちの少なくとも一方を担う第２光信号端を有しその信号光の伝播を担う第２信号光伝播媒体の、その第２光信号端が挿抜自在に挿入される挿入孔を形成する、挿入された状態にある第２光信号端の側面部分を支持する支持面、および挿入された状態にある第２光信号端の先端部分が突き当てられる突当面を含む挿入孔形成壁からなる挿抜部と、この挿抜部内の突当面近傍から上記第１光信号端に向けて貫通し、この挿抜部に挿入された状態にある第２光信号端と上記第１光信号端とを光学的に接続する貫通孔を形成する貫通孔形成壁からなる光学的接続部とが形成され、上記基板上に配設された筐体と、
上記筐体の挿抜部に挿入された状態にある第２光信号端を上記突当面および上記支持面の双方の面に付勢して位置決めする、その挿抜部内に突出収納自在に配設された付勢部材とを備えたことを特徴とする。
【００１０】
ここで、本発明にいう「信号光伝播媒体」とは、例えば光導波路や光ファイバをいう。
【００１１】
本発明の光コネクタは、接合端部に光コネクタが設けられていない第２信号光伝播媒体の第２光信号端を上記挿抜部に直接挿入することによって光接続する構成であるため、信号光伝播媒体の接合端部ごとに光コネクタが設けられた従来型の光コネクタに比して、より一層小型化かつ薄型化された光コネクタが提供される。また、本発明の光コネクタは、上記挿入孔形成壁からなる挿抜部と上記貫通孔形成壁からなる光学的接続部とが形成された筐体の挿抜部内に突出収納自在に配設された付勢部材によって、その挿抜部に挿入された状態にある第２光信号端を上記突当面および上記支持面の双方の面に付勢して位置決めするものであるため、その付勢部材を挿抜部内に突出させることによって、挿抜部に挿入された状態にある第２光信号端と上記第１光信号端とが確実にかつ高精度に光接続され、その付勢部材を挿抜部内に収納させることによって、第２光信号端が挿抜自在となる。
【００１２】
ここで、上記本発明の光コネクタは、上記挿抜部が、さらに先端部分に、上記第１信号光伝播媒体および上記第２信号光伝播媒体のうちの一方の信号光伝播媒体を伝播してきた信号光を他方の信号光伝播媒体に向けて反射する光路変換部を備えた第２光信号端を有する第２信号光伝播媒体の、その第２光信号端が挿抜自在に挿入されるものであってもよい。
【００１３】
また、上記本発明の光コネクタは、上記突当面が、さらに、この突当面の、上記挿抜部に挿入された状態にある第２光信号端の光路変換部のうちの信号光を伝播する部分に対向する部分に、その第２光信号端の先端部分がその突当面に突き当てられた状態において空隙を形成する凹部が設けられたものであることが好ましい。
【００１４】
このような好ましい形態によれば、第２光信号端の信号光を伝播する部分と、上記凹部により形成された空隙内の空気との屈折率の差によって、第２光信号端の光路変換部における光路変換が確実に行われる。
【００１５】
また、上記本発明の光コネクタは、上記筐体が、さらに、上記光学的接続部内に、上記挿抜部に挿入された状態にある第２光信号端と上記第１光信号端との間で伝達される光信号の信号路を形成する、集光レンズを有する光結合部材を配備したものであるという形態も好ましい。
【００１６】
このような光結合部材を上記光学的接続部内に配備した光コネクタによれば、上記挿抜部に挿入された状態にある第２光信号端と上記第１光信号端との間で光信号がより一層確実に伝達される。
【００１７】
また、上記本発明の光コネクタは、上記筐体が、さらに、上記光学的接続部内に、上記第１信号光伝播媒体および上記第２信号光伝播媒体のうちの一方の信号光伝播媒体を伝播してきた信号光を他方の信号光伝播媒体に向けて反射する光路変換部材を配備したものであることも好ましい形態である。
【００１８】
光コネクタ内で光路変換が必要な場合であっても、このような光路変換部材を上記光学的接続部内に予め配備した光コネクタによれば、挿抜部に挿入される第２光信号端の先端部分に光路変換部を設ける必要がないため、第２光信号端の先端部分の変形や損傷のおそれが少なく、複数回の挿抜を繰り返した際の位置再現性が高い。
【００１９】
また、上記本発明の光コネクタのうちの上記光結合部材または上記光路変換部材を備えた光コネクタは、上記筐体が、さらに、上記基板に着脱自在なものであることが好ましい。
【００２０】
ここで、一般に、光路変換用の部品（光学部品）は、耐熱性の低いプラスチックなどで製造されることが多い。また、基板上に各種部品を実装するにあたっては、一般に、半田リフローで取り付けられる。そのため、基板上に各種部品の中で耐熱性の低い部品は、搭載時に変形・破損するおそれがある。これに対し、上記のような好ましい形態によれば、上記光結合部材または上記光路変換部材を備えた耐熱性の低い光コネクタを取り付ける前に電気回路等を基板上に半田付けし、その後、基板に熱をかける必要がなくなった状態で、その耐熱性の低い光コネクタを取り付けることができるため好適である。
【００２１】
さらに、上記本発明の光コネクタは、
「上記基板が、上記第１光信号端に加え、さらに導電パターンを有するものであり、
上記挿抜部は、信号光の入射および信号光の出射のうちの少なくとも一方を担うとともに、さらに電気信号の接続端子が設けられた第２光信号端を有し、その信号光の伝播およびその電気信号の伝達を担う第２信号光伝播媒体の、その第２光信号端が挿抜自在に挿入される挿入孔を形成する挿入孔形成壁からなるものであり、さらに、挿入された状態にある第２光信号端に設けられた上記接続端子と接触する、上記導電パターンと電気的に接続された電気接点を有するものである」
ことがさらに好ましい。
【００２２】
ここで、電気基板では、例えばＩＣとメモリとの間で高速に大量のデータを送ろうとすると、電磁波が発生することによって信号が減失し、例えば長い距路信号を送ることが困難となったり、多くのエネルギーが必要となるなどといった問題が発生する。そこで、基板上において高速に大量のデータを送る媒体を光媒体に置き換えた、電気基板と信号光伝播媒体が一体化した光電融合基板が開発されている。
【００２３】
このような好ましい形態によれば、上記挿抜部に挿入された状態にある第２光信号端と上記第１光信号端との光学的な接続と、上記挿抜部に挿入された状態にある第２光信号端と上記導電パターンとの電気的な接続とを同時に、かつ容易に行うことができるため好適である。
【発明の効果】
【００２４】
本発明によれば、より一層小型化された光コネクタが提供される。
【発明を実施するための最良の形態】
【００２５】
以下、図面を参照して本発明の実施の形態を説明する。
【００２６】
図１は、本発明の一実施形態が適用された光コネクタのうちの第１実施形態を示す概略構成図である。
【００２７】
図１には、本発明の光コネクタの一例に相当する光コネクタ１０が示されている。
【００２８】
この図１に示す光コネクタ１０は、基板１１と、基板１１上に配設された筐体１２と、操作レバー１３ａを有する付勢部材１３とを備えている。この基板１１は、本発明にいう基板の一例に相当し、この筐体１２は、本発明にいう筐体の一例に相当し、この付勢部材１３は、本発明にいう付勢部材の一例に相当する。
【００２９】
また、図１に示すように、基板１１上には、電気信号と光信号との間での変換を担う受発光素子２０が実装されている。尚、この受発光素子２０は、基板１１の表面に垂直な方向に進む信号光の発光もしくは受光を担うものである。
【００３０】
また、図１に示す基板１１には、信号光の入射および信号光の出射のうちの少なくとも一方を担う第１光信号端１１１を有しその信号光の伝播を担う第１光導波路１１０が埋設されている。この第１光信号端１１１は、本発明にいう第１光信号端の一例に相当し、この第１光導波路１１０は、本発明にいう第１信号光伝播媒体の一例に相当する。
【００３１】
図１に示す筐体１２には、信号光の入射および信号光の出射のうちの少なくとも一方を担う第２光信号端３１を有しその信号光の伝播を担う第２光導波路３０の、その第２光信号端３１が挿抜自在に挿入される挿入孔を形成する挿入孔形成壁１２１からなる挿抜部１２ａが形成されている。ここで、この第２光信号端３１は、先端部分３１ｂに、第１光導波路１１０および第２光導波路３０のうちの一方の光導波路を伝播してきた信号光を他方の光導波路に向けて反射する光路変換部３２を備えている。この第２光信号端３１は、本発明にいう第２光信号端の一例に相当し、この第２光導波路３０は、本発明にいう第２信号光伝播媒体の一例に相当する。尚、この挿入孔形成壁１２１は、挿入された状態にある第２光信号端３１の側面部分３１ａを支持する支持面１２１ａ、および挿入された状態にある第２光信号端３１の先端部分３１ｂが突き当てられる突当面１２１ｂを含むものである。
【００３２】
また、図１に示す筐体１２には、挿抜部１２ａ内の突当面１２１ｂ近傍から上記第１光信号端１１１に向けて貫通し、この挿抜部１２ａに挿入された状態にある第２光信号端３１と第１光信号端１１１とを光学的に接続する貫通孔を形成する貫通孔形成壁１２２からなる光学的接続部１２ｂも形成されている。また、この光学的接続部１２ｂ内には、挿抜部１２ａに挿入された状態にある第２光信号端３１と第１光信号端１１１との間で伝達される光信号の信号路を形成する、集光レンズ４０ａを有する光結合部材４０が配備されている。
【００３３】
図２は、図１に示す、光コネクタ１０の筐体１２の挿抜部１２ａに挿入された状態にある第２光信号端３１を固定した状態を示す図である。
【００３４】
図１，図２に示すように、付勢部材１３は、挿抜部１２ａ内に突出収納自在に配設されていて、図２に示すように操作レバー１３ａが押し下げられることによって、挿抜部１２ａに挿入された状態にある第２光信号端３１を突当面１２１ｂおよび支持面１２１ａの双方の面に付勢して位置決めされる。
【００３５】
以上説明したように、第１実施形態の光コネクタ１０は、接合端部に光コネクタが設けられていない第２光導波路３０の第２光信号端３１を挿抜部１２ａに直接挿入することによって光接続する構成であるため、信号光伝播媒体の接合端部ごとに光コネクタが設けられた従来型の光コネクタに比して、より一層小型化かつ薄型化された光コネクタが提供される。
【００３６】
また、第１実施形態の光コネクタ１０は、挿入孔形成壁１２１からなる挿抜部１２ａと貫通孔形成壁１２２からなる光学的接続部１２ｂとが形成された筐体１２の挿抜部１２ａ内に突出収納自在に配設された付勢部材１３によって、その挿抜部１２ａに挿入された状態にある第２光信号端３１を突当面１２１ｂおよび支持面１２１ａの双方の面に付勢して位置決めするものであるため、その付勢部材１３を挿抜部１２ａ内に突出させることによって、挿抜部１２ａに挿入された状態にある第２光信号端３１と第１光信号端１１１とが確実にかつ高精度に光接続され、その付勢部材１３を挿抜部１２ａ内に収納させることによって、第２光信号端３１が挿抜自在となる。
【００３７】
さらに、第１実施形態の光コネクタ１０は、光学的接続部１２ｂ内に光結合部材４０が配備されているため、挿抜部１２ａに挿入された状態にある第２光信号端３１と第１光信号端１１１との間で光信号がより一層確実に伝達される。
【００３８】
次に、本発明の第２実施形態について説明する。
【００３９】
尚、以下説明する第２実施形態では、上述した第１実施形態で説明した構成とほぼ同じ構成を有するため、上述した第１実施形態との相違点に注目し、同じ要素については同じ符号を付して説明を省略する。
【００４０】
図３は、本発明の一実施形態が適用された光コネクタのうちの第２実施形態を示す概略構成図である。
【００４１】
図３に示す光コネクタ５０は、基板１１上に配設された筐体５２を備えている。この筐体５２は、本発明にいう筐体の一例に相当する。
【００４２】
図３に示す筐体５２には、第２光信号端３１が挿抜自在に挿入される挿入孔を形成する挿入孔形成壁５２１からなる挿抜部５２ａが形成されている。この挿入孔形成壁５２１は、挿入された状態にある第２光信号端３１の先端部分３１ｂが突き当てられる突当面５２１ｂを含むものである。また、この突当面５２１ｂは、第２光信号端３１の先端部分３１ｂを面で受ける形状を有する。さらに、この突当面５２１ｂには、この突当面５２１ｂの、挿抜部５２ａに挿入された状態にある第２光信号端３１の光路変換部３２のうちの信号光を伝播するコア部分３２ａに対向する部分に、第２光信号端３１の先端部分３１ｂがその突当面に突き当てられた状態において空隙を形成する凹部５２１１が設けられている。
【００４３】
第２実施形態の光コネクタ５０によれば、第２光信号端３１の信号光を伝播するコア部分３２ａと、凹部５２１１により形成された空隙内の空気との屈折率の差によって、第２光信号端３１の光路変換部３２における光路変換が確実に行われる。また、突当面５２１ｂが、第２光信号端３１の先端部分３１ｂを面で受ける形状を有することから、より高精度な位置決めが可能であるとともに、先端部分３１ｂが変形することが防止される。
【００４４】
次に、本発明の第３実施形態について説明する。
【００４５】
尚、以下説明する第３実施形態では、上述した第１実施形態で説明した構成とほぼ同じ構成を有するため、上述した第１実施形態との相違点に注目し、同じ要素については同じ符号を付して説明を省略する。
【００４６】
図４は、本発明の一実施形態が適用された光コネクタのうちの第３実施形態を示す概略構成図である。
【００４７】
図４に示す光コネクタ６０は、基板１１上に配設された筐体６２を備えている。この筐体６２は、本発明にいう筐体の一例に相当する。
【００４８】
図４に示す筐体６２には、信号光の入射および信号光の出射のうちの少なくとも一方を担う第３光信号端３４を有しその信号光の伝播を担う第３光導波路３３の、その第３光信号端３４が挿抜自在に挿入される挿入孔を形成する挿入孔形成壁６２１からなる挿抜部６２ａが形成されている。この第３光信号端３４は、本発明にいう第２光信号端の一例に相当し、この第３光導波路３３は、本発明にいう第２信号光伝播媒体の一例に相当する。尚，この挿入孔形成壁６２１は、挿入された状態にある第３光信号端３４の先端部分３４ｂが突き当てられる突当面６２１ｂを含むものである。
【００４９】
また、図４に示す筐体６２には、挿抜部６２ａ内の突当面６２１ｂ近傍から第１光信号端１１１に向けて貫通し、この挿抜部６２ａに挿入された状態にある第３光信号端３４と第１光信号端１１１とを光学的に接続する貫通孔を形成する貫通孔形成壁６２２からなる光学的接続部６２ｂも形成されている。また、この光学的接続部６２ｂ内には、第１光導波路１１０および第３光導波路３３のうちの一方の光導波路を伝播してきた信号光を他方の光導波路に向けて反射する光路変換部材７０が配備されている。
【００５０】
光コネクタ内で光路変換が必要な場合であっても、このような光路変換部材７０を光学的接続部６２ｂ内に予め配備した、第３実施形態の光コネクタ６０によれば、挿抜部６２ａに挿入される第３光信号端３４の先端部分３４ｂに光路変換部を設ける必要がないため、第３光信号端３４の先端部分３４ｂの変形や損傷のおそれが少なく、複数回の挿抜を繰り返した際の位置再現性が高い。
【００５１】
次に、本発明の第４実施形態について説明する。
【００５２】
尚、以下説明する第４実施形態では、上述した第３実施形態で説明した構成とほぼ同じ構成を有するため、上述した第３実施形態との相違点に注目し、同じ要素については同じ符号を付して説明を省略する。
【００５３】
ここで、一般に、光路変換用の部品（光学部品）は、耐熱性の低いプラスチックなどで製造されることが多い。また、基板上に各種部品を実装するにあたっては、一般に、半田リフローで取り付けられる。そのため、基板上に各種部品の中で耐熱性の低い部品は、搭載時に変形・破損するおそれがある。
【００５４】
図５は、本発明の一実施形態が適用された光コネクタのうちの第４実施形態を示す概略構成図である。
【００５５】
図４に示す光コネクタ８０は、基板１１上に着脱自在に配設される筐体８２１と、この筐体８２１を基板１１上に取り付けるための筐体ベース部８２２とを備えている。この筐体８２１は、本発明にいう筐体の一例に相当する。
【００５６】
筐体８２１には突起８２１ａが設けられていて、筐体ベース部８２２にはその突起８２１ａが嵌合する穴８２２ａが設けられている。
【００５７】
図６は、図５に示す筐体８２１が基板１１上に取り付けられた状態を示す図であり、図７は、基板１１上に取り付けられた筐体８２１の挿抜部６２ａに第３光導波路３３の第３光信号端３４が挿入された状態を示す図である。
【００５８】
図６に示すように、筐体８２１に設けられた突起８２１ａを、筐体ベース部８２２に設けられた穴８２２ａに勘合させることによって、筐体８２１が基板１１上に取り付けられ、固定される。
【００５９】
その後、図７に示すように、基板１１上に取り付けられた筐体８２１の挿抜部６２ａに第３光導波路３３の第３光信号端３４を挿入する。
【００６０】
第４実施形態の光コネクタ８０によれば、光路変換部材７０を備えた耐熱性の低い光コネクタ８０を取り付ける前に電気回路等を基板１１上に半田付けし、その後、基板１１に熱をかける必要がなくなった状態で、その耐熱性の低い光コネクタ８０を取り付けることができる。
【００６１】
尚、第４実施形態では、光路変換部材を備えた光コネクタの筐体が基板に着脱自在な例を示したが、第１実施形態や第２実施形態に示した光結合部材を備えた光コネクタについても、この光コネクタの筐体が基板に着脱自在に構成されていることによって、同様の効果を得ることができる。
【００６２】
次に、本発明の第５実施形態について説明する。
【００６３】
尚、以下説明する第５実施形態では、上述した第３実施形態で説明した構成とほぼ同じ構成を有するため、上述した第３実施形態との相違点に注目し、同じ要素については同じ符号を付して説明を省略する。
【００６４】
図８は、本発明の一実施形態が適用された光コネクタのうちの第５実施形態を示す概略構成図であり、図９は、図８に示す筐体９２１の挿抜部９２ａに第４光導波路３５の第４光信号端３６が挿入されて固定された状態を示す図である。
【００６５】
図８に示す光コネクタ９０は、基板１１と、基板１１上に配設された筐体９２を備えている。この筐体９２は、本発明にいう筐体の一例に相当する。
【００６６】
図８に示す基板１１は、第１光導波路１１０に加え、さらに導電パターンを有する。
【００６７】
図８に示す筐体９２には、信号光の入射および信号光の出射のうちの少なくとも一方を担うとともに、さらに電気信号の接続端子３７が設けられた第４光信号端３６を有し、その信号光の伝播およびその電気信号の伝達を担う第４光導波路３５の、その第４光信号端３６が挿抜自在に挿入される挿入孔を形成する挿入孔形成壁９２１からなる挿抜部９２ａが形成されている。この第４光信号端３６は、本発明にいう第２光信号端の一例に相当し、この第４光導波路３５は、本発明にいう第２信号光伝播媒体の一例に相当する。また、この挿抜部９２ａは、さらに、挿入された状態にある第４光信号端３６に設けられた接続端子３７と接触する、基板１１の導電パターンと電気的に接続された電気接点９３を有する。
【００６８】
ここで、電気基板では、例えばＩＣとメモリとの間で高速に大量のデータを送ろうとすると、電磁波が発生することによって信号が減失し、例えば長い距路信号を送ることが困難となったり、多くのエネルギーが必要となるなどといった問題が発生する。そこで、基板上において高速に大量のデータを送る媒体を光媒体に置き換えた、電気基板と信号光伝播媒体が一体化した光電融合基板が開発されている。
【００６９】
第５実施形態の光コネクタ９０によれば、図９に示すように、挿抜部９２ａに挿入された状態にある第４光信号端３６と第１光信号端１１１との光学的な接続と、挿抜部９２ａに挿入された状態にある第４光信号端３６と上記導電パターンとの電気的な接続とを同時に、かつ容易に行うことができる。
【００７０】
尚、上述した各実施形態では、本発明にいう第１信号光伝播媒体や第２信号光伝播媒体が光導波路である例について説明したが、本発明にいう第１信号光伝播媒体や第２信号光伝播媒体は、これに限られるものではなく、例えば光ファイバなどの信号光伝播媒体であればよい。
【図面の簡単な説明】
【００７１】
【図１】本発明の一実施形態が適用された光コネクタのうちの第１実施形態を示す概略構成図である。
【図２】図１に示す、光コネクタの筐体の挿抜部に挿入された状態にある第２光信号端を固定した状態を示す図である。
【図３】本発明の一実施形態が適用された光コネクタのうちの第２実施形態を示す概略構成図である。
【図４】本発明の一実施形態が適用された光コネクタのうちの第３実施形態を示す概略構成図である。
【図５】本発明の一実施形態が適用された光コネクタのうちの第４実施形態を示す概略構成図である。
【図６】図５に示す筐体８２１が基板上に取り付けられた状態を示す図である。
【図７】基板上に取り付けられた筐体の挿抜部に第３光導波路の第３光信号端が挿入された状態を示す図である。
【図８】本発明の一実施形態が適用された光コネクタのうちの第５実施形態を示す概略構成図である。
【図９】図８に示す筐体の挿抜部に第４光導波路の第４光信号端が挿入されて固定された状態を示す図である。
【符号の説明】
【００７２】
１０，５０，６０，８０，９０    光コネクタ
１１    基板
１１０    第１光導波路
１１１    第１光信号端
１２，５２，６２，８２１，９２    筐体
８２１ａ    突起
８２２    筐体ベース部
８２２ａ    穴
１２ａ，５２ａ，６２ａ，９２ａ    挿抜部
１２１，５２１，６２１，９２１    挿入孔形成壁
１２１ａ    支持面
１２１ｂ，５２１ｂ    突当面
５２１１    凹部
１２ｂ，６２ｂ    光学的接続部
１２２，６２２    貫通孔形成壁
１３    付勢部材
１３ａ    操作レバー
２０    受発光素子
３０    第２光導波路
３１    第２光信号端
３１ａ    側面部分
３１ｂ，３４ｂ    先端部分
３２    光路変換部
３２ａ    コア部分
３３    第３光導波路
３４    第３光信号端
３５    第４光導波路
３６    第４光信号端
３７    接続端子
４０    光結合部材
４０ａ    集光レンズ
７０    光路変換部材
９３    電気接点
【図１】
2007212564.tif 000003
【図２】
2007212564.tif 000004
【図３】
2007212564.tif 000005
【図４】
2007212564.tif 000006
【図５】
2007212564.tif 000007
【図６】
2007212564.tif 000008
【図７】
2007212564.tif 000009
【図８】
2007212564.tif 000010
【図９】
2007212564.tif 000011